(57)【要約】【課題】ユーザ機器へのサービス提供におけるセル・クラスタ管理。【解決手段】様々な通信システムは、改善されたネットワーク管理から利益を得ることができる。その方法は、マルチ・コネクティビティを使用して、超高信頼性低遅延通信ユーザ機器においてローカルセルのクラスタのサブセットの標示を受信するステップを含むことができる。この方法は、また、無線性能監視に関する規則を受信するステップであって、該規則は、マルチ・コネクティビティの個々の無線リンクに対するパケット誤り率閾値を含む、ステップを含むことができる。加えて、この方法は、前記規則および前記無線性能監視に基づいて、ローカルセルの前記サブセットの１つ以上のセルの監視をスキップするか否かを決定するステップを含むことができる。そのスキップは短期間または長期間であり得る。さらに、この方法は、前記無線性能監視およびローカルセルの前記サブセットのうちの１つ以上のセルの監視をスキップするか否かに基づいたレポートをサブセットに通信するステップと、を含むことができる。【選択図】図１
2019519172.tif 000002
【特許請求の範囲】
【請求項１】
マルチ・コネクティビティを使用して、超高信頼性低遅延通信ユーザ機器においてローカルセルのクラスタのサブセットの標示を受信するステップと、
無線性能監視に関する少なくとも１つの規則を受信するステップであって、該少なくとも１つの規則は、前記マルチ・コネクティビティの個々の無線リンクに対するパケット誤り率閾値を含む、ステップと、
前記規則および前記無線性能監視に基づいて、ローカルセルの前記サブセットの１つ以上のセルの監視をスキップするか否かを決定するステップであって、前記スキップは、短期スキップまたは長期スキップであり得る、ステップと、
前記無線性能監視およびローカルセルの前記サブセットのうちの１つ以上のセルの監視をスキップするか否かに基づいて、レポートをサブセットに通信するステップと、
を含む方法。
【請求項２】
前記サブセットにおける前記ローカルセルの数は、キャップされる、請求項１に記載の方法。
【請求項３】
ローカルセルの前記サブセットのうちの１つ以上のセルの監視を前記スキップすることは、前記サブセットのセルへの送信、または、セルからの受信をスキップすることである、請求項１に記載の方法。
【請求項４】
最大パケットエラー率を超えたことをネットワークエンティティにレポートするステップであって、該ネットワークエンティティは、前記ユーザ機器の前記マルチ・コネクティビティを制御することを担当している、ステップをさらに含む請求項１に記載の方法。
【請求項５】
前記無線性能監視を前記スキップすることは、前記サブセットにおける少なくとも１つの選択されたローカルセルを含む、請求項１に記載の方法。
【請求項６】
１つ以上の前記パフォーマンス・エラー率閾値は、前記マルチ・コネクティビティの個々の無線リンクごとに、前記ユーザ機器に設定されている、請求項１に記載の方法。
【請求項７】
前記ユーザ機器が通信をスキップすると決定したとき、前記ユーザ機器は、ネットワークエンティティに通知しない、請求項１に記載の方法。
【請求項８】
前記短期スキップまたは前記長期スキップは、所定のものであるか、送信時間間隔に基づいて、の決定される、請求項１に記載の方法。
【請求項９】
スキップされる前記サブセットにおける前記ローカルセルの数は、キャップされ、前記数は、前記サブセットにおけるローカルセルの数に基づいてキャップされる、請求項１に記載の方法。
【請求項１０】
前記ユーザ機器は、送信時間間隔にわたって前記サブセット内のセルと通信する、請求項１に記載の方法。
【請求項１１】
前記ユーザ機器と前記サブセット内のローカルセルとの間の通信は、直列的、並列的、または同時に行われる、請求項１に記載の方法。
【請求項１２】
前記ユーザ機器と前記サブセット内のローカルセルとの間の前記通信のための前記優先付されたまたは順序付けされたローカルセルは、個々の無線リンクの前記無線性能監視に基づいて決定される、請求項１に記載の方法。
【請求項１３】
ローカルセルのクラスタのサブセットおよびネットワークエンティティにおける無線性能監視のための少なくとも１つの規則を決定するステップであって、該少なくとも１つの規則は、個々の無線リンクに対するパケット誤り率閾値を含む、ステップと、
超高信頼性低遅延通信ユーザ機器に、個々の無線リンクを有するマルチ・コネクティビティを使用して、前記サブセットの標示および前記規則を送信するステップと、
前記無線性能監視およびローカルセルの前記サブセットのうちの１つ以上のセルの監視をスキップするかどうかの標示に基づいたレポートを受信するステップであって、該スキップは短期間または長期間であり得る、ステップと、
前記ユーザ機器から送信されたレポートに基づいて前記サブセットを再構成するステップと
を含む方法。
【請求項１４】
監視を前記スキップすることは、前記サブセット内のセルへのまたはセルからの送信または受信をスキップすることを含む、請求項１３に記載の方法。
【請求項１５】
前記ネットワークエンティティは、ローカルセルの前記サブセットのうちの１つ以上のセルの監視をスキップするかどうかを決定し、前記決定は、前記ユーザ機器から受信された前記レポートに基づく、または、前記ネットワークエンティティによって行われる監視に基づくものである、請求項１３に記載の方法。
【請求項１６】
前記サブセットにおける前記ローカルセルの数は、キャップされる、請求項１３に記載の方法。
【請求項１７】
ローカルセルの前記サブセットのうちの１つ以上のセルの監視を前記スキップすることは、前記サブセットのセルへの送信、または、セルからの受信をスキップすることである、請求項１３に記載の方法。
【請求項１８】
前記無線性能監視の前記スキップは、前記サブセットにおける少なくとも１つの選択されたローカルセルを含む、請求項１３に記載の方法。
【請求項１９】
前記マルチ・コネクティビティの個々の無線リンクごとに、１つ以上のパフォーマンス・エラー率閾値がユーザ機器に設定される、請求項１３に記載の方法。
【請求項２０】
前記短期スキップまたは前記長期スキップは、所定のものであるか、送信時間間隔に基づいて、の決定される、請求項１３に記載の方法。
【請求項２１】
少なくとも１つのプロセッサと、コンピュータ・プログラム・コードを含む少なくとも１つのメモリとを備える装置であって、
前記少なくとも１つのメモリおよび前記コンピュータ・プログラム・コードは、前記少なくとも１つのプロセッサで、前記装置に、少なくとも、請求項１ないし２０のいずれか１項に記載の方法のプロセスを実行させるように構成される、装置。
【請求項２２】
ハードウェア内で実行されたとき、請求項１ないし２０のいずれか１項に記載の方法のプロセスを実行する命令がエンコードされた非一時的なコンピュータ可読媒体。
【請求項２３】
請求項１ないし２０のいずれか１項に記載の方法のプロセスを実行する手段を備える装置。
【請求項２４】
請求項１ないし２０のいずれか１項に記載の方法のプロセスを実行する命令がエンコードされたコンピュータ・プログラム。
【請求項２５】
非一時的コンピュータ可読媒体上で具体化され、ハードウェア内で実行されたとき、請求項１ないし２０のいずれか１項に記載の方法のプロセスを実行する命令がエンコードされたコンピュータ・プログラム製品。
【発明の詳細な説明】
【技術分野】
【０００１】
［関連出願への相互参照］
本出願は、２０１６年６月２３日に出願された米国仮特許出願第６２／３５３，８５１号に対する優先権を主張する。上記の仮出願の全内容は、参照により本明細書に組み込まれる。
【０００２】
様々な通信システムは、改善されたネットワーク管理から利益を得ることができる。例えば、通信システムは、超高信頼性および低待ち時間通信においてユーザ機器にサービスを提供するセルの改善された管理から利益を得ることができる。
【背景技術】
【０００３】
第３世代パートナーシッププロジェクト（３ＧＰＰ）第５世代（５Ｇ）技術は、新世代の無線システムであり、そして、極度のブロードバンドと超堅牢で低遅延の接続性を実現できるネットワークアーキテクチャである。５Ｇは、エンドユーザーに提供される電気通信サービスを改善し、大規模なＭ２Ｍ（ｍａｃｈｉｎｅ−ｔｏ−ｍａｃｈｉｎｅ）通信をサポートするのに役に立つ。５Ｇはまた、超高信頼性、低待ち時間通信（ＵＲＬＬＣ）に対するサポートを提供し得る。ＵＲＬＬＣは、例えば、産業用制御、触知可能なインターネット、車両の安全性、輸送システムの効率性、およびｅヘルスの用途に使用することができる。
【０００４】
ＵＲＬＬＣは、５Ｇ、ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）２０２０など、次世代ネットワークでサポートされる使用シナリオの３つの主要分類ファミリの１つである。３ＧＰＰ・ＴＲ３８．９１３によれば、ＵＲＬＬＣに関連する重要業績評価指標（ＫＰＩ）は、アップリンク送信について０．５ミリ秒（ｍｓ）、ダウンリンク送信について０．５ｍｓのユーザプレーン待ち時間を達成することを目的としている。３ＧＰＰ・ＴＲ３８．９１３「次世代アクセス技術のシナリオおよび要件に関する研究」は、その全体が本明細書に組み込まれる。目標待ち時間はまた、次世代アクセスアーキテクチャと共に使用することができる無線伝送技術をサポートするのに十分に低くあるべきである。
【０００５】
ユーザプレーン待ち時間は、無線プロトコルレイヤ２／３サービスデータユニット（ＳＤＵ）進入ポイントから無線プロトコルレイヤ２／３ＳＤＵ進入ポイントへ、アップリンク（ＵＬ）チャネルとダウンリンク（ＤＬ）チャネルの両方の無線インターフェイスを介して、アプリケーションレイヤパケットまたはメッセージの送信に成功するのに要する時間に基づいて決定することができる。デバイス、ユーザ機器、または基地局におけるパケットまたはデータの受信は、いくつかの実施形態では、不連続受信（ＤＲＸ）によって制限されないことがある。ＵＲＬＬＣに関連する信頼性ＫＰＩについては、ネットワークは、屋内環境で動作するｅヘルス手術用ロボットなど、特定の使用例で１ｍｓ以内に最大１ｘ１０−５パケットエラーレートの信頼性を達成することを目的としている。パケット誤り率は、Ｘ個のバイトのデータパケットを首尾よく送信する確率であり得る。この信頼性性能は、毎秒３００メガビット（Ｍｂｐｓ）程度のユーザ経験データ速度と共にサポートされ得る。
【０００６】
ＵＲＬＬＣが達成しようとしている上記のＫＰＩを考えると、送信時間間隔（ＴＴＩ）および往復時間（ＲＴＴ）が、最速のレイヤ１（Ｌ１）またはレイヤ２（Ｌ２）再送信の将来の無線技術において０．１ｍｓに短縮されたとしても、０．５ミリ秒のユーザプレーンの待ち時間内に、あまり多くの再送信を実行できない。さらに、０．５ｍｓの短い時間間隔では、無線チャネルエラーは、その間隔に非常に相関している可能性がある。これは、大規模フェージング効果として知られている。そのため、同じ無線チャネルまたはキャリアで、０．５  ｍｓ以内に再送信が失敗する可能性がある。
【０００７】
単一の送信試行で成功するパケット送信の確率が、ＵＲＬＬＣの目標レベルより上に維持されることを保証するために、ＵＲＬＬＣのための動的なプレパケット適応よりもむしろ、ロバスト変調符号化方式（ＭＣＳ）が半永続的に採用され得る。Ｌ１およびＬ２・ＭＡＣを超える送信を含む、上位層の送信は、また、０．５ｍｓのユーザプレーン待ち時間を達成しないエクセッシブＲＴＴに適用できないことがあり得る。
【発明の概要】
【０００８】
本願方法は、マルチ・コネクティビティを使用して、超高信頼性、低待ち時間の通信ユーザ機器においてローカルセルのクラスタのサブセットの指標を受信することを含み得る。本願方法はまた、無線性能監視のための少なくとも１つの規則を受信することを含み得る。少なくとも１つの規則は、マルチ・コネクティビティの個々の無線リンクについてのパケット誤り率閾値を含み得る。さらに、本願方法は、無線性能監視のための少なくとも１つの規則に基づいて、ローカルセルのサブセットのうちの１つ以上のセルの監視をスキップするかどうかを決定することを含み得る。スキップは、短期スキップでも長期スキップでもよい。さらに、この方法は、無線性能監視、および、ローカルセルのサブセットのうちの１つ以上のセルの監視をスキップするかどうかに基づいてレポートをサブセットに通信することを含むことができる。
【０００９】
特定の実施形態によれば、本願装置は、コンピュータ・プログラム・コードを含む少なくとも１つのメモリと、少なくとも１つのプロセッサとを含み得る。少なくとも１つのメモリおよびコンピュータ・プログラム・コードは、少なくとも１つのプロセッサを用いて、マルチ信頼性を使用して超高信頼性、低遅延通信ユーザ機器においてローカルセルのクラスタのサブセットの指標を少なくとも受信するように構成され得る。この少なくとも１つのメモリおよびコンピュータ・プログラム・コードは、また、少なくとも１つのプロセッサを用いて、少なくとも無線性能監視のための少なくとも１つの規則を受信するように構成され得る。この少なくとも１つの規則は、マルチ・コネクティビティの個々の無線リンクについてのパケット誤り率閾値を含み得る。さらに、この少なくとも１つのメモリおよびコンピュータ・プログラム・コードは、また、少なくとも１つのプロセッサを用いて、少なくとも１つの無線性能監視の規則に基づいて、１つ以上のセルの監視をスキップするかどうかを少なくとも決定するように構成され得る。ローカルセルのサブセットスキップは、短期スキップでも長期スキップでもよい。さらに、この少なくとも１つのメモリおよびコンピュータ・プログラム・コードは、少なくとも１つのプロセッサを用いて、無線性能監視と、ローカルセルのサブセットの１つ以上のセルの監視をスキップするかどうかに基づいて、サブセットにレポートを少なくとも通信するように構成され得る。
【００１０】
ある実施形態では、本願装置は、マルチ・コネクティビティを使用して、超高信頼性、低待ち時間の通信ユーザ機器においてローカルセルのクラスタのサブセットの指標を受信するための手段を含み得る。この装置は、また、無線性能監視のための少なくとも１つの規則を受信するための手段を含み得る。この少なくとも１つの規則は、マルチ・コネクティビティの個々の無線リンクについてのパケット誤り率閾値を含み得る。さらに、この装置は、無線性能監視のための少なくとも１つの規則に基づいて、ローカルセルのサブセットのうちの１つ以上のセルの監視をスキップするかどうかを決定するための手段を含み得る。このスキップは、短期スキップでも長期スキップでもよい。さらに、この方法は、無線性能監視、および、ローカルセルのサブセットのうちの１つ以上のセルの監視をスキップするかどうかに基づいて、レポートをサブセットに通信することを含むことができる。
【００１１】
特定の実施形態によれば、非一時的コンピュータ可読媒体は、ハードウェアで実行されるときに、プロセスを実行する命令を符号化する。このプロセスは、マルチ・コネクティビティを使用して、超高信頼性、低待ち時間の通信ユーザ機器においてローカルセルのクラスタのサブセットの指標を受信することを含み得る。このプロセスはまた、無線性能監視に関する少なくとも１つの規則を受信することを含み得る。この少なくとも１つの規則は、マルチ・コネクティビティの個々の無線リンクについてのパケット誤り率閾値を含み得る。さらに、このプロセスは、ローカルセルのサブセットのうちの１つ以上のセルの監視をスキップするかどうかを、無線性能監視のための少なくとも１つの規則に基づいて判断することを含むことができる。このスキップは、短期スキップでも長期スキップでもよい。さらに、このプロセスは、無線性能監視、および、ローカルセルのサブセットのうちの１つ以上のセルの監視をスキップするかどうかに基づいて、レポートをサブセットに通信することを含むことができる。
【００１２】
特定の実施形態によれば、コンピュータ・プログラム製品は、マルチ・コネクティビティを使用して超高信頼性、低待ち時間通信ユーザ機器においてローカルセルのクラスタのサブセットの指標を受信することを含む方法にしたがってプロセスを実行するための命令を符号化する。この方法は、また、無線性能監視のための少なくとも１つの規則を受信することを含み得る。この少なくとも１つの規則は、マルチ・コネクティビティの個々の無線リンクについてのパケット誤り率閾値を含み得る。さらに、この方法は、無線性能監視のための少なくとも１つの規則に基づいて、ローカルセルのサブセットのうちの１つ以上のセルの監視をスキップするかどうかを決定することを含み得る。このスキップは、短期スキップでも長期スキップでもよい。さらに、この方法は、無線性能監視、および、ローカルセルのサブセットのうちの１つ以上のセルの監視をスキップするかどうかに基づいて、レポートをサブセットに通信することを含むことができる。
【００１３】
この方法は、ローカルセルのクラスタのサブセットと、ネットワークエンティティにおける無線性能監視のための少なくとも１つの規則とを決定することとを含み得る。この少なくとも１つの規則は、個々の無線リンクに対するパケット誤り率閾値を含む。この方法はまた、個々の無線リンクを有するマルチ・コネクティビティを使用して、サブセットの指標および規則を超高信頼性低遅延通信ユーザ機器に送信することを含むことができる。さらに、この方法は、また、無線性能監視に基づくレポートと、ローカルセルのサブセットのうちの１つ以上のセルの監視をスキップするかどうかの指標とを受信することも含むことができる。このスキップは短期間でも長期間でもよい。
【００１４】
特定の実施形態によれば、本願装置は、コンピュータ・プログラム・コードを含む少なくとも１つのメモリと、少なくとも１つのプロセッサとを含み得る。少なくとも１つのメモリおよびコンピュータ・プログラム・コードは、少なくとも１つのプロセッサを用いて、ローカルセルのクラスタのサブセットおよびネットワークエンティティにおける無線性能監視のための少なくとも１つの規則を、少なくとも決定するように構成され得る。この少なくとも１つの規則は、個々の無線リンクに対するパケット誤り率閾値を含む。少なくとも１つのメモリおよびコンピュータ・プログラム・コードは、また、少なくとも１つのプロセッサを用いて、個々の無線リンクを有するマルチ・コネクティビティおよび規則を使用して超高信頼性低遅延通信ユーザ機器にサブセットの表示を、少なくとも送信するように構成され得る。さらに、少なくとも１つのメモリおよびコンピュータ・プログラム・コードは、また、少なくとも１つのプロセッサを用いて、無線性能監視およびローカルセルのサブセットの１つ以上のセルの監視をスキップするかどうかの指標に基づいてレポートを少なくとも受信するように構成され得る。このスキップは短期間でも長期間でもよい。
【００１５】
ある実施形態では、本願装置は、ローカルセルのクラスタのサブセットを決定するための手段と、ネットワークエンティティにおける無線性能監視のための少なくとも１つの規則とを含み得る。少なくとも１つの規則は、個々の無線リンクに対するパケット誤り率閾値を含む。この装置は、また、個々の無線リンクを有するマルチ・コネクティビティを使用して、サブセットの指標および規則を超高信頼性低遅延通信ユーザ機器に送信するための手段を含み得る。加えて、この装置は、無線性能監視に基づいてレポートを受信し、ローカルセルのサブセットのうちの１つ以上のセルを監視することをスキップするかどうかの指標を受信する手段を含むことができる。このスキップは短期間でも長期間でもよい。
【００１６】
特定の実施形態によれば、非一時的コンピュータ可読媒体は、ハードウェアで実行されると、プロセスを実行する命令を符号化する。このプロセスは、ローカルセルのクラスタのサブセットと、ネットワークエンティティにおける無線性能監視のための少なくとも１つの規則とを決定することを含み得る。少なくとも１つの規則は、個々の無線リンクに対するパケット誤り率閾値を含む。このプロセスは、また、個々の無線リンクを有するマルチ・コネクティビティを使用して、サブセットの指標および規則を超高信頼性低待ち時間通信ユーザ機器に送信することを含むことができる。さらに、このプロセスは、無線性能監視に基づくレポートと、ローカルセルのサブセットのうちの１つ以上のセルの監視をスキップするかどうかの指標とを受信することを含むことができる。このスキップは短期間でも長期間でもよい。
【００１７】
特定の実施形態によれば、コンピュータ・プログラム製品は、ローカルセルのクラスタのサブセットおよびネットワークエンティティにおける無線性能監視のための少なくとも１つの規則を決定することを含む方法にしたがってプロセスを実行するための命令を符号化する。この少なくとも１つの規則は、個々の無線リンクに対するパケット誤り率閾値を含む。この方法は、また、個々の無線リンクを有するマルチ・コネクティビティを使用して、サブセットの指標および規則を超高信頼性低遅延通信ユーザ機器に送信することを含むことができる。さらに、この方法は、無線性能監視に基づくレポートと、ローカルセルのサブセットのうちの１つ以上のセルの監視をスキップするかどうかの指標とを受信することを含むことができる。このスキップは短期間でも長期間でもよい。
【図面の簡単な説明】
【００１８】
本発明を正しく理解するために、添付の図面を参照する。
【図１】図１は、５Ｇネットワークにおけるビーム切り替えを示す。
【図２】図２は、特定の実施形態によるフロー図を示す。
【図３】図３は、特定の実施形態によるフロー図を示す。
【図４】図４は、特定の実施形態によるシステムを示す図である。
【発明を実施するための形態】
【００１９】
特定の実施形態では、いくつかのサービング基地局、たとえば、ｅノードＢ（ｅＮＢ）またはアクセスポイントとのマルチ・コネクティビティ（ＭＣ）は、を使用することができる。ＵＲＬＬＣ・ＵＥは、ＭＣを使用して、再送なしで、サービング基地局のセル・クラスタのサブセットに、同じパケットまたはデータを１回送信することができる。ＭＣの使用は、ＵＥが、０．５ｍｓの目標ユーザ待ち時間を達成すること、または、ＵＲＬＬＣの他の任意のＫＰＩを満たすことを可能にすることができる。いくつかの実施形態は、また、５Ｇ超高密度ネットワーク（ＵＤＮ）において、ＭＣによって提供されるマクロダイバーシティ合成（ＭＤＣ）実施形態においても使用され得る。ＵＤＮでは、ＵＥは、特定の数までのセルまたは基地局のセル・クラスタ、例えば、１０個のセルまたは基地局によってサービス提供され得る。ＵＥは、特定の場所および／または時間において、その近隣にある基地局の数を識別することができる。
【００２０】
特定の実施形態は、ＵＲＬＬＣ・ＵＥのためのローカルセルのクラスタのサブセットを管理するための方法、装置、手段、またはコンピュータ製品を提供することができる。この管理は、ＵＲＬＬＣ・ＵＥの効率を改善するのに役立ち、ネットワーク側とＵＥ側の両方からの無線スペクトルや電力エネルギーなどのリソース消費を最小限に抑えることができることを確実にする。例えば、ＵＲＬＬＣ・ＵＥを管理することは、冗長な重複無線送信によって引き起こされるリソース消費の低減を可能にし得る。様々な実施形態はまた、ＵＲＬＬＣのＫＰＩを満たすためにネットワーク内の通信を改善するのを助けることができる。
【００２１】
本明細書で説明される実施形態の多くは、ＵＲＬＬＣ・ＵＥからのアップリンク送信を対象としているが、他の実施形態は、基地局または別のネットワークエンティティからＵＲＬＬＣ・ＵＥへのダウンリンク送信に関するものであり得る。
【００２２】
ＵＲＬＬＣサービングネットワークおよび／またはＵＲＬＬＣ・ＵＥは、対応するサービング基地局によって提供されるローカルサービングセルを選択または再選択して、サービングＵＲＬＬＣ・ＵＥにおけるＵＥ中心セル・クラスタの最適化されたサブセットを形成することができる。選択は動的でもプロアクティブでもよい。最適化されたサブセットは、冗長性およびエネルギー消費などのオーバーヘッドを可能な限り低く保つために、ＵＲＬＬＣ・ＵＥにサービスを提供することに関与する最小数のローカルセルを有することができる。さらに、特定の実施形態は、ＵＲＬＬＣ・ＵＥ固有の測定およびレポートをトリガするためのネットワーク制御を提供することができる。いくつかの実施形態は、また、ＵＥ中心のローカルセル・クラスタの最適化されたサービス提供サブセットのＵＥ挙動およびネットワーク管理を提供し得る。
【００２３】
特定の実施形態は、５Ｇ・ＵＤＮにおけるＵＲＬＬＣ・ＵＥの無線送信機能に関する。無線送信は、例えば、ビームフォーミングを伴うミリ波無線アクセス技術システムを含み得る。一実施形態では、ＵＲＬＬＣ・ＵＥとサービング・サブセットの少なくとも２つのセルとの間のＭＣ環境において、並列または同時のマルチの無線送信／受信を提供することができる。並列または同時の送信または受信は、０．１ｍｓの同じＴＴＩ内で実行され得る。ＵＥは、ＵＥとサービング・サブセットの個々のセルとの間にマルチの送信（Ｔｘ）または受信（Ｒｘ）チェーンを装備することができる。マルチのＴｘ／Ｒｘチェーンは、サブセット内のＵＥとローカルセルとの間の同時、並列、またはシリアル通信（ｓｅｒｉａｌ  ｃｏｍｍｕｎｉｃａｔｉｏｎ）を容易にするのを助けることができる。Ｔｘ／Ｒｘチェーンは、少なくとも部分的に独立していてもよいが、いくつかの実施形態では、ＵＲＬＬＣのＭＣの文脈において相互に関連していてもよい。
【００２４】
他の実施形態では、ＵＥは、ＭＣ環境においてシリアル多重無線送信または受信を実行することができる。各送信または受信は１つのセルに固有であり得、各送信は０．１ｍｓのＴＴＩで起こり得る。サービング・サブセット内のセルの数は、上限を定められる、または、制限されることがあり得る。いくつかの実施形態では、サービング・サブセット内の最大セル数は、ユニフォームリソースロケータ（ＵＲＬ）待ち時間予算内において、セル間で切り替えられる可能性のある送信によって直接制限されることがある。例えば、最大セル数は５であり得る。この数は、０．５ｍｓの目標ユーザプレーン待ち時間および０．１ｍｓのＴＴＩに基づいて計算される。送信または受信が成功すると、最初の送信または受信が成功した後の後続の送信または受信は、スキップされ得る。
【００２５】
図１は、５Ｇネットワークにおけるビーム切り替えを示す。具体的には、図１は、基地局１１０およびユーザ機器１２０を含む５Ｇミリ波ＵＤＮにおける高速ビームスイッチングを示す。高速ビーム切り替えは、１００マイクロ秒の１タイムスロット以内であり得、これはオーバーヘッドを最小にするために使用され得る。
【００２６】
ある実施形態では、ＵＲＬＬＣ・ＵＥは、０．５ｍｓ以内に１回、ローカルセル・クラスタのサブセットの各セルに各データパケットを送信することができる。パケットが送信されるローカルセルの数は、所望の最大パケットエラーレート（ＰＥＲ）にしたがって決定され得る。ＵＲＬＬＣのＫＰＩを確実にするために必要とされるセルの数は、例えば、サブセット内の個々のサービングセルに対する個々の無線リンクの性能に基づいてもよい。
【００２７】
別の例では、セルの数は、使用されるＭＤＣ方式に応じて可能な誤り訂正利得に基づいてもよい。いくつかのＭＤＣ方式では、データパケットの自己復号可能冗長バージョンが使用されてもよく、誤り訂正利得は重要ではないかもしれない。そのようなＭＤＣ方式は、ＭＤＣ後に集合的な上位層確認応答（ＡＣＫ）を必要とせず、重複、検出、および廃棄のみが必要であり得るため、単純かつ高速のＭＤＣ方式であり得る。
【００２８】
ＭＤＣ後のＰＥＲは、サービング・サブセットに対する個々の無線リンクのＰＥＲの積であり得る。例えば、１×１０−６の要求されたＫＰＩに対して、個々の無線リンクのＰＥＲが１×１０−１（１０％）であれば、要求されたＫＰＩを提供するために少なくとも６つのローカルセルを使用することができる。ＰＥＲが１×１０−２（１％）に変更された場合、ローカルセルの数は３に減らすことができます。
【００２９】
図２は、特定の実施形態による流れ図を説明している。特に、図２は、ＵＥの観点から見たＵＲＬＬＣ・ＵＥとローカルセルのクラスタのサブセットとの間の通信を示す。ステップ２１０において、ＵＲＬＬＣ・ＵＥは、マルチ・コネクティビティを使用してローカルセルのクラスタのサブセットの指標を受信することができる。ステップ２２０において、ＵＲＬＬＣ・ＵＥは無線性能監視のための少なくとも１つの規則を受信することができる。この規則は、マルチ・コネクティビティの個々の無線リンクごとにユーザ機器に対して構成されたパケット誤り率閾値を含み得る。例えば、パケット誤り率閾値は最大閾値であり得る。ステップ２３０で、ＵＥは、ローカルセルのサブセットのうちの１つ以上のセルの監視をスキップするかどうかを、規則および無線性能監視に基づいて判断することができる。特定の実施形態では、監視をスキップすることは、ローカルセルのサブセットのうちの１つ以上のセルへの、または、１つ以上のセルからの無線送信および／または受信をスキップすることを含み得る。スキップは短期間でも長期間でもよい。ステップ２４０において、ＵＥは、監視と、ローカルセルのサブセットのうちの１つ以上のセルの監視をスキップするかどうかに基づいて、サブセットと通信することができる。特定の実施形態では、この通信は、ＭＣでサービングセルのサブセットに送信される複数またはマルチの無線信号の形態であり得る。
【００３０】
信号は、たとえば０．１ｍｓの同じＴＴＩで同じ時間間隔内で、並列に、または、同時に、サブセットのマルチのサービングセルに送信、または、そこから受信することができる。他の実施形態では、信号はシリアル多重無線送信であり得る。各信号は、０．１ｍｓのＴＴＩごとに１つのセルに送信され得る。
【００３１】
ネットワークエンティティは、ローカルセルのクラスタのサブセットを構成することができる。サブセットは、サブセット内のローカルセルの数にキャップまたは上限を設けることができる。言い換えれば、ネットワークエンティティは、ＵＲＬＬＣ・ＵＥにサービス提供するために、供給された上限数のローカルセルを構成することができる。提供された上限数は、サブセット内のセル数を最適化するためにネットワークによって決定されてもよく、その一方で、十分に多数のローカルセルがＵＲＬＬＣを提供するために利用可能であることも保証する。
【００３２】
特定の実施形態では、ネットワークエンティティは、ＵＲＬＬＣ・ＵＥとの間の無線送信に関して、最大閾値などのＰＥＲ閾値を決定または設定することができる。ＰＥＲ閾値は、個々のセルまたは個々の無線リンクごとに決定されてもよい。ＰＥＲは、任意の物理層または論理層を含む、プロトコルスタックのさまざまなレベルで定義および監視できる。閾値はまた、個々のセルごとに同じでも異なっていてもよい。いくつかの実施形態では、ネットワークは、関連するすべてのＵＥへのブロードキャストメッセージなどの共通のシグナリング、または、ターゲットＵＥ専用のユニキャストメッセージなどの専用のシグナリングのいずれかを使用して、閾値をＵＥに示し得る。
【００３３】
最大ＰＥＲ（ｍａｘ−ＰＥＲ）、最大値と最小値の間のＰＥＲ（ｍｉｄ−ＰＥＲ）、および最小ＰＥＲ（ｍｉｎ−ＰＥＲ）が定義され得る。これらのＰＥＲ閾値は、特定の実施形態では、ＵＲＬＬＣ・ＵＥの無線性能監視および動作のためにネットワークによって制御されてもよい。短期間のスキップおよび／または長期間のスキップのために、中間ＰＥＲおよび最小ＰＥＲを使用することができる。
【００３４】
上述のように、特定の実施形態では、ステップ２１０に示すように、ネットワークはセルのサブセットを構成し、そのサブセットの指標を送信することができる。ステップ２２０に示すように、サブセットは上限および／または対応する最大ＰＥＲを有する。初期構成は、１組の構成またはマルチの組の構成のいずれかを含み得る。言い換えれば、１つ以上の上限数のローカルセルまたは対応する最大ＰＥＲがあり得る。例えば、ネットワークは、最初に、各セルについて１０パーセントに等しい最大ＰＥＲを有する６個のローカルセルのサブセットを構成することができる。対応する最大ＰＥＲを有する４つのローカルセルのサブセットが、各セルについて３パーセントに等しい、追加の構成もまた提供され得る。
【００３５】
特定の実施形態は、ネットワークが上限セルの整数としてではなく、セルのサブセット、例えば、セル＃１、セル＃２、ｃ、セル＃Ｌを用いてＵＥを最初に明示的に構成し得るネットワーク制御動作を含み得る。バウンド数Ｌは、セルの上限数であり得る。ネットワークはまた、サブセット内のセルごとの最大ＰＥＲを決定してもよい。他の実施形態では、ＵＥは、サブセット内のセルの数に基づいて各セルについて、共通のまたは等しい最大ＰＥＲ値を導き出すことができ、これは上限数およびＵＲＬＬＣサービスのＰＥＲ要件に等しい。
【００３６】
マルチのセットの初期設定を含むいくつかの実施形態は、ＵＲＬＬＣ・ＵＥがどのように適切な設定セットを選択するかについての規則も含むことができる。規則は、例えば、ＵＥの位置、ＵＥのサービス要件、ＵＥのトラフィック特性、および／またはＵＥの能力に基づいてもよい。他の実施形態は、どの構成を使用するかについての十分な情報をＵＥに提供することになる他の規則を含み得る。ネットワークエンティティは、例えば、全体的なセル性能についてセルによって現在監視されている対応する無線性能測定基準、または、選択されたＵＥのいくつかのＵＥ固有の性能に基づいて初期設定を決定することができる。ＵＥ固有の性能は、ＵＥの位置に基づいてもよい。ネットワークエンティティは、初期設定を決定するためにＵＥからの測定値またはレポートを使用することができる。
【００３７】
ステップ２４０において、ＵＲＬＬＣ・ＵＥは、モニタリング、および、ローカルセルのサブセットのうちの１つ以上のセルのモニタリングをスキップするかどうかに基づいて、サブセットと通信することができる。スキップすることは、ローカルセルのサブセットのうちの１つ以上のセルへの、または、１つ以上のセルからの無線送信および／または受信が、スキップまたは中断され得ることを意味し得る。スキップは短期間でも長期間でもよい。特定の実施形態では、ＵＥは、ＰＥＲが最大ＰＥＲを超えるセルまたは無線リンクをネットワークエンティティにレポートすることができる。ネットワークエンティティは、ユーザ機器のマルチ・コネクティビティを制御することを担当してもよい。ネットワークエンティティは、分散構造内のサブセット内のローカルセル、または１つの中央ユニットまたは機能の中にあってもよく、これらは、集中構造内のＵＥと同様に、ローカルセルおよびに接続されそれらを制御する。ＵＥからのこのレポートに基づいて、ネットワークエンティティは、その無線リンクおよび／またはサービングセルを置き換えるべきかどうかを決定することができる。あるいは、ネットワークエンティティは、現在のサブセットに新しいものを追加することを決定してもよい。
【００３８】
ある実施形態では、ネットワークエンティティは、現在のサブセット内の個々のセルに関して１つ以上のＰＥＲ閾値をＵＲＬＬＣ・ＵＥに送信することができる。現在のサブセット内のセルの数に応じて、ＵＲＬＬＣ・ＵＥは、ＰＥＲ閾値を使用して、その決定についてネットワークに通知することなく、サブセット内のいくつかの選択されたセルの監視（受信および／または送信）をスキップするかどうかを決定し得る。特定の実施形態では、監視をスキップすることは、ローカルセルのサブセットのうちの１つ以上のセルからの／への送信および／または受信を一時停止することを意味し得る。いくつかの実施形態では、ＵＲＬＬＣ・ＵＥは、監視および／または送信をスキップするというその決定をネットワークに通知することを選択し得るが、他の実施形態では、ＵＲＬＬＣ・ＵＥは、ネットワークの通知を通知またはスキップしないことを決定し得る。ＵＲＬＬＣ・ＵＥは依然として、ネットワークによって制御される様々な構成および規則に従うことができる。
【００３９】
サブセット内のいくつかの選択されたセルを監視すること（スキップすること、および／またはそこから送信すること）をスキップするための期間は、有限の長さを有することができる。例えば、現在のサブセットが６個のセルを含むとき、ＵＲＬＬＣ・ＵＥが、１つ以上の無線リンク上の監視されたＰＥＲが５％の事前設定された中央ＰＥＲを下回ることを認識する場合、ＵＲＬＬＣ・ＵＥは、ＴＴＩごと、またはパケットごとの送信タイムスロットまたはサブフレームベースが適切であり得ると判断する。中間ＰＥＲは、最小ＰＥＲと最大ＰＥＲとの間のＰＥＲ値であり得る。
【００４０】
どのサービングセルをＵＥがスキップすべきかの決定は、ネットワークによって提供される規則によって少なくとも部分的に導かれ得る。特定の実施形態では、規則は準静的に事前設定されてもよく、他の実施形態では規則は動的に設定されてＵＲＬＬＣ・ＵＥに送信されてもよい。現在設定されているサービング・サブセット内のいくつかのセルの無線性能が、当面の間ＵＲＬＬＣ要件を満たす場合、少なくとも一時的に、設定されたサブセットの残りを監視し続けることは必要ではないかもしれない。したがって、冗長性を低減または最小化するために監視をスキップすることができる。
【００４１】
スキップするための規則は、例えば、進行中のＵＲＬＬＣのＫＰＩがＵＥに対して維持されることを確実にしながら、個々のセルまたは無線リンクの監視されたＰＥＲに基づいてＵＥによってスキップされるセルの数を決定するように設定され得る。いくつかの実施形態では、現在のサービス提供サブセットのセルまたは無線リンク上の監視されたＰＥＲが特定の閾値、例えば、中央ＰＥＲまたは最低ＰＥＲを下回る場合、セルは監視され続けることができるが、サブセットの残りのいくつかのセルの監視は、事前定義された期間の間スキップされてもよい。スキップは短期間のスキップでもよい。短期間のスキップは、例えば、次のＴＴＩまたは次のパケットをスキップすることとして定義され得る。
【００４２】
最大ＰＥＲを有するセル、または最大ＰＥＲを達成するなど、最低品質を有するセルとすることができる最悪セルをスキップするように規則を設定することができる。あるいは、いくつかの実施形態では、最小のＰＥＲまたは最良のセルを有するセルをスキップすることができるが、サブセット内の他のセルがすでにＵＲＬＬＣのＫＰＩを満たすのに十分である場合に限る。そのような実施形態は、例えば、最良のセルが偶然に最も混雑しているセルであり、少なくとも同等の優先順位で他のユーザにサービスを提供する場合に使用され得る。最良のセルは、最も低いＰＥＲを有するセルであり得る。
【００４３】
ＵＥがスキップすることができるセルの最大数を制限するように規則を設定することができる。加えて、ルールは、目標ＰＥＲを達成するためにリソース／エネルギー使用量に基づいて監視をスキップすることを決定してもよい。例えば、この規則は、最大数の物理リソースブロックおよび／または使用される最大送信電力で、セルをスキップすることを含み得る。
【００４４】
特定の実施形態では、ＵＲＬＬＣ・ＵＥは、セルのモニタされたＰＥＲが、１パーセントに等しい最小ＰＥＲなど、最小ＰＥＲと呼ばれるさらに別の事前設定されたＰＥＲを下回ることを認識し得る。１つ以上の選択されたセルの監視をスキップするための事前定義された期間の長さは、短期スキップにおけるＴＴＩよりも長くてもよく、したがって長期スキップと呼ばれる。いくつかの実施形態では、長期スキップは、システムフレームごと、例えば１ｍｓ、１０ｍｓ、または、その倍数であり得る。別の例では、長期スキップは、マルチのＴＴＩベースまたはシステムフレームベースであり得る。
【００４５】
特定の実施形態は、特定の条件が満たされたときにＵＲＬＬＣ・ＵＥがスキップすることができる最大セル数を有することができる。この状態は、現在のサブセット内のセルの数に依存し得、監視されているセルのＰＥＲが中央ＰＥＲまたは最小ＰＥＲを下回るとき、それを監視され得る。他の実施形態では、ルールまたは条件は、ＵＥが監視されたＰＥＲが最小ＰＥＲを下回る各セルについて、現在のサービス提供サブセットの事前設定された数の他のセルの監視をスキップすることを可能にし得る。
【００４６】
ＵＥは、例えば、現在のサブセットが十分に小さい、例えば、３つ以下のローカルセルを有するとき、長期スキップを使用しなくてもよい。他の実施形態では、現在のサブセットが少数のセル、例えば最小の２つのローカルセルを含むとき、ＵＥは全くスキップしないことがある。ネットワークは、決定された長期スキップをネットワークに通知するようにＵＲＬＬＣ・ＵＥを構成することができる。いくつかの他の実施形態では、ＵＥは、ネットワークに長期スキップを通知しないように構成され得る。
【００４７】
特定の実施形態では、ネットワークはサブセットを再構成することを決定し得る。再構成は、セルおよび／または無線リンクを追加または置換すること、ならびに、サブセットに関連する規則または閾値を変更することを含み得る。再構成は、現在のサブセットの個々のセルごとのＰＥＲ性能のネットワークによる監視、および／またはＵＲＬＬＣ・ＵＥから受信したレポートまたは通知に基づくことができる。特定の実施形態では、ネットワークは、サブセット内の個々のセルの性能と並んで、サブセット内のセル数、または、それに依存して、関連する閾値および規則を再構成することもできる。
【００４８】
上記の実施形態の多くは、並列または同時のマルチの無線送信に焦点を合わせているが、特定の実施形態は、ＭＣにおける直列のマルチの無線送信または受信を含んでもよい。単一の無線送信または受信は、０．１ｍｓのＴＴＩごとに各セルに対して行われ得る。シリアル多重無線送信または受信は、ＵＲＬＬＣ・ＵＥおよびサービング・サブセットが、最初に情報を首尾よく送信または受信する無線リンクまたはセルを使用することを可能にし得る。この実施形態は、パケットができるだけ早く成功裏に送信または受信されることを確実にするのを助け、後続のすべての送信または受信をスキップすることを助けることができる。
【００４９】
特定の実施形態では、セルまたは無線リンクの動的優先付けまたは順序付けを決定することができる。いくつかの実施形態では、ネットワークは、アップリンクおよび／またはダウンリンクについてサブセット内の個々のセルに優先付けまたは順序付けをすることができる。一例では、セルは、アップリンクについては高い優先順位を有するが、ダウンリンクについてはより低い優先順位を有し得る。サブセット内のユーザ機器とローカルセルとの間の通信のためのローカルセルの優先付けまたは順序付けは、個々の無線リンクのＰＥＲ性能の監視に基づいて制御および／または再構成することができる。この順序付けは、明示的なシグナリングまたは自己設定のための事前設定された規則に基づいてもよい。
【００５０】
送信のための個々のセルの構成された順序は、異なる方法で使用されてもよい。セルの構成された順序の使用は、肯定応答（ＡＣＫ）または否定応答（ＮＡＣＫ）がネットワークエンティティにどれだけ早く利用可能にされ得るかに依存し得る。ＡＣＫまたはＮＡＣＫは、ＵＥ、セル、またはサービング基地局によるデータの成功または失敗の送信または受信を示すことができる。特定の実施形態では、各送信のＡＣＫ／ＮＡＣＫフィードバックは、次のセルへの次の送信の開始前に利用可能であり得る。個々のセルへの送信順序は、個々のセルの構成された優先順位付け／順序付けに従うことができる。
【００５１】
ＡＣＫがネットワークによって受信されると、そのパケットの送信試行は停止することがあります。例えば、最初に、ネットワークは、１、２、３、４の順序番号を有するＵＲＬＬＣ・ＵＥのための４つのローカルサービングセルのサブセットを構成することができる。次いで、ＵＲＬＬＣ・ＵＥは、セル１内でパケットの送信または受信を開始し、セル１内の送信または受信が成功しなかった場合、セル２に切り替えることができる。セル２もまた失敗した場合、ＵＥがパケットを送信または受信するためのセルを見つけることができるまで、ＵＲＬＬＣ・ＵＥは、セル３および４にそれぞれ切り替えることができる。
【００５２】
次のセルへの送信が始まる前に各送信に対するＡＣＫ／ＮＡＣＫフィードバックが間に合わない場合、ＵＲＬＬＣ・ＵＥは、サービング・サブセット内のいくつのセルが所与のパケットを送信する必要があるかを決定することができる。この決定は、上述のように、構成されたＰＥＲ閾値に基づいて行われてもよい。セルの優先付けまたは順序付けは、また、ＵＥが送信し得る個々のセルを選択するために使用され得る。
【００５３】
各送信に対するＡＣＫ／ＮＡＣＫフィードバックが次の送信の前に利用可能であっても利用可能でなくてもよい両方の場合において、ＵＥおよびサブセットは、成功した送信を有する最初のセルは、現在のサブセットのセル１を置き換えることができ、障害が発生したセルの順序または優先順位は、それに応じて変更することができることを示す規則を利用し得る。送信または受信が成功した後にスキップされたセルは、順序番号が上にシフトされている可能性がある。例えば、ＵＥはセル１内でパケットを送信しようとして失敗したかもしれない。その後、パケットは、セル２において首尾よく再送信または送信されてもよい。次のパケットまたはデータ送信のために、第１のセルは現在のセル２であり、第２および第３のセルは現在のセル３および現在のセル４であることができる。第４のセルは、ＵＥがパケットを送信しようとして失敗した現在のセル１であることができる。ネットワークエンティティは、セルの順番の更新を調整し、残りのセルに順番の更新を知らせることができる。
【００５４】
特定の実施形態では、セルの上記の並べ替えは、並べ替えが実際にパケットの送信の成功または失敗に関与するセルに限定される場合には回避することができる。言い換えれば、順序付けは、セルの全部を並べ替えるのではなく、サブセット内のセルの一部だけを含むことができる。例えば、セル１がパケットを送信することに失敗したが、セル２が成功した場合、セル１とセル２の順序は交換され、セル３と４は同じに保たれる。
【００５５】
事前構成された規則は、特定の事前構成された時間の間の未使用のセルがサービング・サブセットから削除され得るように拡張され得る。いくつかの実施形態では、各サブセットに少なくとも１つの未使用セルがあり得る。現在のサブセット内のすべてのセルが、最後のＮ個の連続したパケットの送信または受信に関与する必要がある場合、ネットワークエンティティはサブセットに新しいセルを追加することを決定することができる。Ｎは、ネットワークによって決定および構成された、送信または受信されたパケットの数であり得る。
【００５６】
上記の実施形態は、ネットワークがローカルＵＥ中心セル・クラスタのサービング・サブセットを最適化することを可能にする。ネットワークはまた、送信または受信を監視するために現在のサブセット内のちょうど十分なローカルセルを選択するように構成され得る。実施形態は、ＵＲＬＬＣ・ＵＥまたは任意のネットワークエンティティのそれに対するオーバーヘッドおよびエネルギー消費を低減するのを助けることができる。
【００５７】
特定の実施形態では、並列または同時のマルチの無線送信／受信を、ＵＲＬＬＣ・ＵＥとサービング・サブセットの少なくとも２つのセルとの間のＭＣ環境で、実行することができる。並列または同時の送信または受信は、０．１ｍｓの同じＴＴＩ内で実行され得る。ＵＥ側とネットワーク側の両方がＭＣ内の個々のデータまたは無線リンクのＰＥＲ性能を監視できるようにするために、特定の実施形態では、Ｌ１・ＡＣＫ／ＮＡＣＫが。個々のデータ無線リンク上のＵＲＬＬＣ・ＵＥのＬ１送信に適用され得る。ＡＣＫ／ＮＡＣＫに基づくＡＣＫ／ＮＡＣＫおよびＰＥＲの監視は、その方式がＤＬまたはＵＬのどちらで使用されるのか、送信機側または受信機側のいずれであるか、あるいは監視のスキップの期間または長さ、例えば、短期スキップまたは長期スキップ、または、それらの組み合わせに依存し得る。いくつかの他の実施形態では、ＡＣＫ／ＮＡＣＫおよびＰＥＲの監視は、少なくとも上記の要因のうちのいくつかに応じて適応可能であり得る。
【００５８】
特定の実施形態では、ＡＣＫ／ＮＡＣＫおよびＡＣＫ／ＮＡＣＫに基づくＰＥＲ監視は含まれなくてもよい。例えば、ＡＣＫ／ＮＡＣＫは、短期間および／または長期間のスキップが受信側に対してのみ発生するときには、含まれないことがある。そして、受信側は、監視されたＰＥＲを送信側に明示的にレポートすることができる。
【００５９】
Ｌ１・ＡＣＫ／ＮＡＣＫは、ＵＬの送信側で、ＵＲＬＬＣ・ＵＥがＰＥＲを監視するのを助けることができる。ＰＥＲの監視に基づいて、ＵＥは、ＵＬ送信の短期間スキップを決定することができる。一方、長期スキップの場合、ＵＲＬＬＣ・ＵＥは、ネットワークによって提供されたＰＥＲに基づいて決定を下すことができる。ネットワークはまた、ＵＲＬＬＣ・ＵＥのための長期スキップを構成し得る。特定の実施形態では、ＵＲＬＬＣは、ＭＣ間で少なくとも１回の送信に成功し、個々の無線リンクでは再送信しないことがある。そのような実施形態では、Ｌ１・ＡＣＫではなく、Ｌ１・ＮＡＣＫのみを送信することで十分であり得る。
【００６０】
特定の実施形態では、短期間および／または長期間のスキップは、送信側と受信側の両方で使用され得る。そのような実施形態では、ＵＥおよびネットワークエンティティなどの両側の同期の必要性がある。いくつかの実施形態では、スキップするためのセルの独立したランダム選択が利用され得る。他の実施形態では、ランダム選択の代わりに、スキップの同期のための決定論的選択規則または明示的シグナリング手順を、事前に決定するかまたは事前に構成することができる。
【００６１】
明示的なシグナリング手順では追加の遅延が発生する可能性があるため、長期スキップで使用される可能性がある。送信側と受信側との間の明示的な指標または確認ハンドシェイクに加えて、短いコマンド、たとえば高速Ｌ１またはＭＡＣシグナリングが使用されてもよい。短期コマンドは、現在の長期スキップ期間を次の長期スキップ期間に継続または延長する要求を含むことができる。Ｍ個の連続したより長い期間の十分に長い期間の後、例えば、サービング・サブセットまたはクラスタを再構成するために再構成がトリガされてもよい。Ｍは、その後に再構成がトリガされ得るいくつかの連続したより長い期間であり得る。
【００６２】
特定の実施形態では、個々のサービングセルが、モバイルブロードバンドサービスのための現在のＬＴＥ進化型ユニバーサル地上アクセスネットワーク（Ｅ−ＵＴＲＡＮ）で使用されるように、ＴＴＩごとにＵＲＬＬＣ・ＵＥのためのＵＬ送信およびＤＬ受信をスケジュールすると考えられ得る。そのような実施形態では、ＵＥのスケジュールされた許可は、ＡＣＫ／ＮＡＣＫ、送信および／または受信をスキップするための、あるいはスキップを延長および／または停止するためのコマンドを物理ＤＬ制御チャネル上で送信することができる。
【００６３】
特定の実施形態において、ＵＬおよびＤＬを別々に検討するとき、以下の動作を含むことができる。例えば、ダウンリンク受信動作において、ＵＥは、ネットワーク構成ルールおよび各リンクの監視されたＰＥＲに基づいて、あるセルからのＤＬ送信の受信をスキップすることを決定し得る。ＵＥの決定にかかわらず、ネットワークエンティティ、例えば、サービング基地局は、ＤＬチャネルでＵＥに送信することができる。ダウンリンク送信動作では、基地局は、あるセルでＤＬの送信をスキップすることを決定し、ＤＬスケジューリング許可または上位レイヤシグナリングを使用してＵＥに通知することができる。
【００６４】
アップリンク送信動作では、ＵＥは、あるセルで送信をスキップすることを決定することができる。  同様に、アップリンク受信動作では、ネットワークエンティティは、監視されたＰＥＲに基づいていくつかのセルからのＵＬ送信の受信をスキップすることを決定し、ＵＬスケジューリング許可を使用して少なくとも１つの送信をスキップするようにＵＥに通知し得る。
【００６５】
特定の実施形態では、各セルのＰＥＲモニタリングまたはサービング・サブセットの無線リンクに基づいて、いくつかのスキップパターンを構成することが可能であり得る。例えば、スキップパターンは、その後の短期または長期のスキップのために選択されたセルのパターンを指定することができる。送信の開始側は、スキップパターンの開始を反対側に迅速に通知することができ、送信側と受信側の両方が、ターゲットセルを効率的に監視するためにスキップパターンに従うことができる。
【００６６】
特定の実施形態は、ＭＣにおけるシリアル多重無線送信または受信を含み得る。各送信または受信は、０．１ｍｓの各ＴＴＩに対して１つのセルに固有のものであり得る。特定の実施形態では、Ｌ１・ＡＣＫではなく、ネットワークが次の送信のための構成を決定するために必要なのはＬ１・ＮＡＣＫだけである。特定の実施形態は、サービング・サブセット内の各個々のセルまたはネットワークエンティティに関して、ＵＲＬＬＣ・ＵＥとサービング・サブセットとの間のＭＣを維持することができる。低い順序番号を有するセルがＵＲＬＬＣ・ＵＥのサービス提供に関与する必要がない場合でも、ネットワークは、ＵＥのサービス提供に関与しない可能性がある未使用のセルが、依然として対応する無線または無線リンクを維持できるようにＵＲＬＬＣ・ＵＥを構成することができる。
【００６７】
未使用セルにおける無線リンクの維持は、例えば、最も高い順序番号を有する選択されたセルのそれに加えて、またはそれと組み合わせて、定期的な測定、レポート、および／または冗長送信または受信によって実現され得る。例えば、ＡＣＫ／ＮＡＣＫを得るのに３倍のＴＴＩ（．３ｍｓ）を要すると仮定すると、ＵＲＬＬＣ・ＵＥは、セル１−４のサービング・サブセットのうちの２つのセルにパケットを送信することができる。その後、ＵＲＬＬＣ・ＵＬは、最初の２つのＴＴＩにおいてセル１およびセル３にパケットを送信することができ、再送信が保証される場合、ＵＥはセル２および４を使用して再送信することができる。
【００６８】
特定の実施形態によるフロー図を示す。ステップ３１０において、ネットワークエンティティは、ローカルセルのクラスタのサブセットと無線性能監視のための少なくとも１つの規則とを決定することができる。少なくとも１つの規則は、個々の無線リンクに関するパケット誤り率閾値を含み得る。ステップ３２０で、ネットワークエンティティは、個々の無線リンクを有するマルチ・コネクティビティを使用して、サブセットの指標および規則を超高信頼性低遅延通信ユーザ機器に送信することができる。次いで、ＵＥは、サブセットと通信するためにその指標およびＰＥＲを使用することができる。さらに、上述のように、ネットワークエンティティは、ＵＥから送信された応答メッセージに基づいてサブセットを再構成することができる。ネットワークエンティティはまた、ＵＥから受信した情報に基づいて、またはネットワークによる自己監視に基づいて、あるセルからのＵＬ送信をスキップすることを決定し得る。
【００６９】
ステップ３３０において、ネットワークエンティティは、無線性能監視と、ローカルセルのサブセットのうちの１つ以上のセルの監視をスキップするかどうかの指標とに基づいてレポートを受信することができる。特定の実施形態では、監視をスキップすることは、ローカルセルのサブセットのうちの１つ以上のセルへの、または、１つ以上のセルからの無線送信および／または受信をスキップすることを含み得る。スキップは短期または長期のどちらでも構わない。ステップ３４０において、ネットワークエンティティは、ユーザ機器から送信されたレポートに基づいてサブセットを再構成することができる。
【００７０】
特定の実施形態によるシステムを示す図である。図２および図３の各信号またはブロックは、ハードウェア、ソフトウェア、ファームウェア、１つ以上のプロセッサおよび／または回路などの様々な手段またはそれらの組合せによって実装され得ることを理解すべきである。一実施形態では、システムは、例えば、ネットワークエンティティ４２０またはＵＥ４１０などのいくつかのデバイスを含み得る。システムは、例示の目的のために１つのアクセスノードだけが示されているが、２つ以上のＵＥ４１０および２つ以上のネットワークノード４２０を含むことができる。ネットワークエンティティは、ネットワークノード、アクセスノード、基地局、５ＧＮＢ、ｅＮＢ、サーバ、ホスト、または、本明細書で論じられる他のアクセスまたはネットワークノードのうちのいずれかでもあり得る。
【００７１】
これらの装置のそれぞれは、それぞれ４１１および４２１として示される少なくとも１つのプロセッサまたは制御ユニットまたはモジュールを含み得る。少なくとも１つのメモリを各装置に設けることができ、それぞれ４１２および４２２として示す。メモリは、その中に含まれるコンピュータ・プログラム命令またはコンピュータコードを含み得る。１つ以上のトランシーバ４１３および４２３が設けられてもよく、各装置はまた、それぞれ４１４および４２４として示されるアンテナを含んでもよい。それぞれ１つのみのアンテナが示されているが、多くのアンテナおよびマルチのアンテナ素子が各装置に設けられてもよい。例えば、これらの装置の他の構成が提供されてもよい。例えば、ネットワークエンティティ４２０およびＵＥ４１０は、無線通信に加えて有線通信用にさらに構成されてもよく、そのような場合、アンテナ４１４および４２４は、単にアンテナに限定されることなく、任意の形態の通信ハードウェアを示してもよい。
【００７２】
トランシーバ４１３および４２３は、それぞれ独立して、送信機、受信機、または送信機と受信機の両方、または送信と受信の両方のために構成され得るユニットまたはデバイスであり得る。送信機および／または受信機（無線部分に関する限り）は、装置自体ではなく、たとえばマスト内に配置された遠隔無線ヘッドとしても実施することができる。動作および機能は、ノード、ホストまたはサーバなどの異なるエンティティにおいて柔軟な方法で実行され得る。言い換えれば、分業はケースバイケースで変わることができる。考えられる用途の１つは、ネットワークノードにローカルコンテンツを配信させることである。１つ以上の機能は、サーバ上で実行することができるソフトウェア内の仮想アプリケーションとしても実装することができる。
【００７３】
ユーザ装置またはユーザ機器４１０は、携帯電話またはスマートフォンまたはマルチメディア装置などの移動局（ＭＳ）、タブレットなどのコンピュータ、無線通信機能を備えたパーソナルデータまたは提供されたデジタルアシスタント（ＰＤＡ）、無線通信機能を備えた携帯型メディアプレーヤ、デジタルカメラ、ポケットビデオカメラ、ナビゲーションユニット、またはそれらの任意の組み合わせであることができる。他の実施形態では、ユーザ機器は、センサまたはメータなどの、人間の対話を必要としない機械通信装置と交換することができる。特定の実施形態では、ＵＥはＵＲＬＬＣ・ＵＥであると説明されているが、ＵＥは他の任意の現在または将来のネットワーク技術と互換性があり得る。
【００７４】
いくつかの実施形態では、ネットワークエンティティなどの装置は、図２および図３に関連して上述した実施形態を実行するための手段を含むことができる。特定の実施形態では、コンピュータ・プログラム・コードを含む少なくとも１つのメモリは、少なくとも１つのプロセッサを用いて、装置に少なくとも本明細書で説明されるプロセスのうちのいずれかを実行させるように構成され得る。
【００７５】
プロセッサ４１１および４２１は、中央処理装置（ＣＰＵ）、デジタル信号プロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタル強化た回路、または同等の装置またはそれらの組み合わせなどの任意の計算またはデータ処理デバイスによって具現化することができる。プロセッサは、単一のコントローラとして、またはマルチのコントローラもしくはプロセッサとして実装することができる。
【００７６】
ファームウェアまたはソフトウェアの場合、実装は、少なくとも１つのチップセットのモジュールまたはユニット（例えば、手順、機能など）を含み得る。メモリ４１２および４２２は、独立して、非一時的コンピュータ可読媒体などの任意の適切な記憶装置であり得る。ハードディスクドライブ（ＨＤＤ）、ランダムアクセスメモリ（ＲＡＭ）、フラッシュメモリ、または他の適切なメモリを使用することができる。メモリは、プロセッサとして単一の集積回路上に組み合わされてもよく、または、それとは別個であってもよい。さらに、コンピュータ・プログラム命令はメモリに格納することができ、プロセッサによって処理することができ、任意の適切な形態のコンピュータ・プログラム・コード、たとえば、任意の適切なプログラミング言語で書かれたコンパイルまたは解釈されたコンピュータ・プログラムとすることができる。メモリまたはデータ記憶エンティティは、典型的には内部にあるが、追加のメモリ容量がサービスプロバイダから得られる場合のように、外部またはそれらの組み合わせにすることもできる。メモリは固定式でも取り外し式でもよい。
【００７７】
メモリおよびコンピュータ・プログラム命令は、特定のデバイス用のプロセッサを用いて、ネットワークエンティティ４２０またはＵＥ４１０などのハードウェア装置に、上述のプロセスのうちのいずれかを実行させるように構成され得る。（例えば、図２および図３参照）。  したがって、特定の実施形態では、非一時的コンピュータ可読媒体は、ハードウェアで実行されたときに、本明細書に記載のプロセスのうちの１つなどのプロセスを実行することができる（追加または更新ソフトウェアルーチン、アプレットまたはマクロなど）コンピュータ命令または１つ以上のコンピュータ・プログラムで符号化することができる。コンピュータ・プログラムは、プログラミング言語によってコード化することができ、このプログラミング言語は、オブジェクト指向Ｃ、Ｃ、Ｃ＋＋、Ｃ＃、Ｊａｖａ（登録商標）などの高水準プログラミング言語、または、機械語またはアセンブラなどの低水準プログラミング言語であり得る。あるいは、特定の実施形態は、完全にハードウェアで実行されてもよい。
【００７８】
さらに、図４はネットワークエンティティ４２０およびＵＥ４１０を含むシステムを示しているが、ある実施形態は、本明細書に図示および説明されているように、他の構成、および、追加の要素を含む構成に適用可能であり得る。例えば、マルチのユーザ機器装置およびマルチのネットワークエンティティが存在してもよく、あるいは、ユーザ機器の機能と中継ノードなどのネットワークエンティティとを組み合わせたノードなど、同様の機能を提供する他のノードが存在してもよい。ＵＥ４１０は、通信ネットワークエンティティ４２０以外の通信のための様々な構成も同様に提供され得る。例えば、ＵＥ４１０は、装置間通信用に構成されてもよい。
【００７９】
特定の実施形態は、ＵＲＬＬＣ・ＵＥのためのサービングセルのクラスタのサブセットを管理するための方法、装置、手段、またはコンピュータ製品を提供することができる。上述した管理プロセスは、ＵＲＬＬＣ・ＵＥの効率を改善するのを助け、ネットワーク側とＵＥ側の両方について、無線スペクトルまたは電力エネルギーなどのリソース消費を最小限に抑えることができることを保証することができる。そのような実施形態はまた、ＵＲＬＬＣの様々なＫＰＩを満たすためにネットワーク内の通信を改善するのを助けることができる。さらに、いくつかの実施形態は、２つの異なるユースケースを可能にし、一方は、ＵＥからサービングセルのサブセットへの並列または同時のマルチの無線送信が行われ、他方はＴＴＩ内の各セルへのシリアル送信が行われる。
【００８０】
本明細書を通じて説明されている特定の実施形態の特徴、構造、または特性は、１つ以上の実施形態において任意の適切な方法で組み合わせることができる。例えば、「特定の実施形態」、「いくつかの実施形態」、「他の実施形態」、または他の類似の語句の使用は、本明細書を通して、実施形態に関連して記載された特定の特徴、構造、または、特性が本発明の少なくとも１つの実施形態に含まれてもよいという事実を指す。したがって、「特定の実施形態では」、「いくつかの実施形態では」、「他の実施形態では」、または他の同様の表現の表現は、本明細書を通して、必ずしも、同じ実施形態群および説明した特徴、構造を指すものではない。または、特徴は、１つ以上の実施形態において任意の適切な方法で組み合わせることができる。
【００８１】
当業者であれば、上述した本発明は、異なる順序でステップを用いて、および／または、開示されたものとは異なる構成のハードウェア要素を用いて実施できることを容易に理解する。したがって、本発明を、これらの好ましい実施形態に基づいて説明してきたが、本発明の趣旨および範囲内に留まりながら、特定の修正形態、変形形態、および代替構成が明らかであることは当業者には明らかである。
【００８２】
部分用語集
３ＧＰＰ：第三世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ）
ＡＣＫ：肯定応答（Ｐｏｓｉｔｉｖｅ  Ａｃｋｎｏｗｌｅｄｇｍｅｎｔ）
ＵＲＬＬＣ：超高信頼性低遅延通信（Ｕｌｔｒａ，Ｒｅｌｉａｂｌｅ  Ｌｏｗ  Ｌａｔｅｎｃｙ  Ｃｏｍｍｕｎｉｃａｔｉｏｎｓ）
ＫＰＩ：重要業績評価指標（Ｋｅｙ  Ｐｅｒｆｏｒｍａｎｃｅ  Ｉｎｄｉｃａｔｏｒ）
ＳＤＵ：サービスデータユニット（Ｓｅｒｖｉｃｅ  Ｄａｔａ  Ｕｎｉｔ）
ＮＡＣＫ：否定応答（Ｎｅｇａｔｉｖｅ  Ａｃｋｎｏｗｌｅｄｇｅｍｅｎｔ）
ＤＲＸ：間欠受信（Ｄｉｓｃｏｎｔｉｎｕｏｕｓ  Ｒｅｃｅｐｔｉｏｎ）
ＴＴＩ：送信時間間隔（Ｔｒａｎｓｍｉｓｓｉｏｎ  Ｔｉｍｅ  Ｉｎｔｅｒｖａｌ）
ＲＲＴ：往復時間（Ｒｏｕｎｄｔｒｉｐ  Ｔｉｍｅ）ＭＣ：マルチ・コネクティビティ（Ｍｕｌｔｉ−Ｃｏｎｎｅｃｔｉｖｉｔｙ）
ＵＤＮ：超高密度ネットワーク（Ｕｌｔｒａ−ｄｅｎｓｉｔｙ  Ｎｅｔｗｏｒｋ）
ＭＤＣ：マクロダイバーシティ結合（Ｍａｃｒｏ−ｄｉｖｅｒｓｉｔｙ  Ｃｏｍｂｉｎｉｎｇ）
ＰＥＲ：パケットエラー率（Ｐａｃｋｅｔ  Ｅｒｒｏｒ  Ｒａｔｅ）
ＮＡＣＫ：否定応答（Ｎｅｇａｔｉｖｅ  Ａｃｋｎｏｗｌｅｄｇｍｅｎｔ）
ＵＥ：ユーザ機器（Ｕｓｅｒ  Ｅｑｕｉｐｍｅｎｔ）
【図１】
2019519172.tif 000003
【図２】
2019519172.tif 000004
【図３】
2019519172.tif 000005
【図４】
2019519172.tif 000006
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
マルチ・コネクティビティを使用して、超高信頼性低遅延通信のユーザ機器においてローカルセルのクラスタのサブセットの標示を受信するステップと、
無線性能監視に関する少なくとも１つの規則を受信するステップであって、該少なくとも１つの規則は、前記マルチ・コネクティビティの個々の無線リンクに対するパケット誤り率閾値を含む、ステップと、
前記少なくとも１つの規則および前記無線性能監視に基づいて、ローカルセルの前記サブセットの１つ以上のセルの監視をスキップするか否かを決定するステップであって、
前記スキップは、短期スキップまたは長期スキップであり得る、ステップと、
ローカルセルの前記サブセットのうちの１つ以上のセルの監視をスキップするか否かの指標および前記無線性能監視に基づいたレポートをネットワークエンティティに通信するステップと、
を含む方法。
【請求項２】
前記サブセットにおける前記ローカルセルの数は、キャップされる、請求項１に記載の方法。
【請求項３】
ローカルセルの前記サブセットのうちの１つ以上のセルの監視を前記スキップすることは、前記サブセットの１つ以上のセルへの送信、または、前記サブセットの１つ以上のセルからの受信をスキップすることである、請求項１に記載の方法。
【請求項４】
最大パケットエラー率を超えたことをネットワークエンティティにレポートするステップであって、該ネットワークエンティティは、前記ユーザ機器の前記マルチ・コネクティビティを制御することを担当している、ステップをさらに含む、請求項１に記載の方法。
【請求項５】
前記無線性能監視を前記スキップすることは、前記サブセットにおける少なくとも１つの選択されたローカルセルをスキップすること含む、請求項１に記載の方法。
【請求項６】
前記パケット誤り率閾値の１つ以上は、前記マルチ・コネクティビティの個々の無線リンクごとに、前記ユーザ機器に設定されている、請求項１に記載の方法。
【請求項７】
前記ユーザ機器が１つ以上のセルの監視をスキップすると決定したとき、前記ユーザ機器は、ネットワークエンティティに通知することを控える、請求項１に記載の方法。
【請求項８】
前記短期スキップまたは前記長期スキップは、所定のものであるか、送信時間間隔に基づいて決定される、請求項１に記載の方法。
【請求項９】
スキップされる前記サブセットにおける前記１つ以上のセルの数が、キャップされ、前記数は、前記サブセットにおけるローカルセルの数に基づいてキャップされる、請求項１に記載の方法。
【請求項１０】
前記ユーザ機器は、送信時間間隔にわたって前記サブセット内のセルと通信する、請求項１に記載の方法。
【請求項１１】
前記ユーザ機器と前記サブセット内のローカルセルとの間の通信は、直列的、並列的、または同時に行われる、請求項１に記載の方法。
【請求項１２】
前記ユーザ機器と前記サブセット内のローカルセルとの間の前記通信のための優先付されたまたは順序付けされたローカルセルは、個々の無線リンクの前記無線性能監視に基づいて決定される、請求項１に記載の方法。
【請求項１３】
ローカルセルのクラスタのサブセットおよび無線性能監視のための少なくとも１つの規則をネットワークエンティティにおいて決定するステップであって、該少なくとも１つの規則は、個々の無線リンクに対するパケット誤り率閾値を含む、ステップと、
個々の無線リンクを有するマルチ・コネクティビティを使用して、超高信頼性低遅延通信のユーザ機器に前記サブセットの標示および前記少なくとも１つの規則を送信するステップと、
ローカルセルの前記サブセットのうちの１つ以上のセルの監視をスキップするかどうかの標示および、前記無線性能監視に基づいたレポートを受信するステップであって、該スキップは短期間または長期間であり得る、ステップと、
前記ユーザ機器から送信された前記レポートに基づいて前記サブセットを再構成するステップと、
を含む方法。
【請求項１４】
ローカルセルの前記サブセットのうちの１つ以上のセルの監視をスキップすることは、
前記サブセット内の前記スキップされた１つ以上のセルへ送信、または、前記スキップされた１つ以上のセルからの受信をスキップすることである、請求項１３に記載の方法。
【請求項１５】
前記ネットワークエンティティは、ローカルセルの前記サブセットのうちの１つ以上のセルの監視をスキップするかどうかを決定し、
前記決定は、前記ユーザ機器から受信された前記レポートに基づく、または、前記ネットワークエンティティによって行われる監視に基づくものである、
請求項１３に記載の方法。
【請求項１６】
前記サブセットにおける前記ローカルセルの数は、キャップされる、請求項１３に記載の方法。
【請求項１７】
前記無線性能監視を前記スキップすることは、前記サブセットにおける少なくとも１つの選択されたローカルセルをスキップすること含む、請求項１３に記載の方法。
【請求項１８】
前記パケット誤り率閾値の１つ以上が、前記マルチ・コネクティビティの個々の無線リンクごとに、前記ユーザ機器に設定される、請求項１３に記載の方法。
【請求項１９】
前記短期間のスキップまたは前記長期間のスキップは、所定のものであるか、送信時間間隔に基づいて、の決定される、請求項１３に記載の方法。
【請求項２０】
少なくとも１つのプロセッサと、コンピュータ・プログラム・コードを含む少なくとも１つのメモリとを備える装置であって、
前記少なくとも１つのメモリおよび前記コンピュータ・プログラム・コードは、前記少なくとも１つのプロセッサを用いて、前記装置に少なくとも請求項１から１９のいずれかに記載の方法を実行させるように構成される、装置。
【請求項２１】
ハードウェア内で実行されたとき、請求項１ないし１９のいずれか１項に記載の方法の方法を実行する命令がエンコードされた非一時的なコンピュータ可読媒体。
【請求項２２】
請求項１ないし１９のいずれか１項に記載の方法を実行する手段を備える装置。
【請求項２３】
請求項１ないし１９のいずれか１項に記載の方法を実行する命令がエンコードされたコンピュータ・プログラム。
【国際調査報告】
2019519172.tif 000007
2019519172.tif 000008
2019519172.tif 000009